(57)【要約】      （修正有）【課題】スタジオ内の各装置をオフラインで利用して番組収録を行う場合に容易な切替操作と誤認を防ぐオフライン編集セレクトシステム、選択制御方法および、セレクタパネルを提供する。【解決手段】接続先が割付けられた押しボタンスイッチを操作パネルに設け、押されたボタンスイッチ信号（例えば、＃１）を判読して系統Ａと系統Ｂとの両系統のスイッチャを同時に制御する接続制御信号をネットワーク４ａと４ｂとに出力し、両スイッチャからの接続先（＃１を示す）タリー信号を押しボタンスイッチが備えるランプで表示する。【選択図】図１
2008048344.tif 000002
【特許請求の範囲】
【請求項１】
放送局の現用系統と予備系統とのそれぞれ独立した放送送出設備に収容され、予め前記各系統で選定されたオンエアに使用されない素材送出装置とビデオサーバとを用いて放送番組を編集する為のオフライン編集セレクトシステムにおいて、
前記現用系統の放送送出設備のスイッチャとの間で制御信号を伝送する第１のネットワークと、
前記予備系統の放送送出設備のスイッチャとの間で制御信号を伝送する第２のネットワークと、
前記第１と前記第２のネットワークとにそれぞれの前記制御信号を入出力するネットワークインタフェースと、前記現用系統における前記素材送出装置と前記ビデオサーバとの間の接続先を指定して入力する指定手段と、前記入力された接続先を判読し、前記現用系統のスイッチャへ前記指定された接続先を接続させる第１の制御信号を生成すると共に、前記予備系統のスイッチャへ前記現用系統における前記接続先に対応する前記予備系統での接続先を接続させる第２の制御信号を生成し、前記生成された制御信号をそれぞれ前記ネットワークインタフェースと前記第１、第２のネットワークを介して前記両スイッチャへ出力する制御手段とを備えるセレクタパネルとを
具備することを特徴とするオフライン編集セレクトシステム。
【請求項２】
前記スイッチャは、マトリクス  スイッチャであり、
前記セレクタパネルは、
前記マトリクス  スイッチャのクロスポイントの何れか１列に対応する接続先を切替ることを特徴とする請求項１記載のオフライン編集セレクトシステム。
【請求項３】
前記指定手段は、
前記接続先を入力する入力部と、前記入力された各前記系統の接続先を表示する表示部とを備え、
前記制御部は、前記第１、第２のスイッチャから前記指定された接続先の応答として送信されたタリー信号を前記表示部に、前記表示する信号として出力する
ことを特徴とする請求項２記載のオフライン編集セレクトシステム。
【請求項４】
前記表示部が表示する前記接続先は、前記各系統に対応した発光色で表示されることを特徴とする請求項３記載のオフライン編集セレクトシステム。
【請求項５】
放送局の現用系統の放送送出設備のスイッチャとの間で制御信号を伝送する第１のネットワークと、予備系統の放送送出設備のスイッチャとの間で制御信号を伝送する第２のネットワークと、指定手段と制御手段とを備え前記各ネットワークに接続されるセレクタパネルとを具備し、前記各系統に収容され、予め選定されたオンエア使用中でない素材送出装置とビデオサーバとを用いて放送番組を編集するオフライン編集セレクトシステムの選択制御方法において、
前記セレクタパネルの前記指定手段に、前記現用系の前記素材送出装置と前記ビデオサーバとの間の接続先が指定して入力され、
前記入力された接続先を前記制御手段が判読し、前記制御手段は、前記現用系統のスイッチャへ前記指定された接続先を接続させる第１の制御信号を生成すると共に、前記予備系統のスイッチャへ前記現用系統における前記接続先に対応する前記予備系統での接続先を接続させる第２の制御信号を生成し、前記生成された制御信号をそれぞれ前記第１、第２のネットワークを介して前記スイッチャへ出力する制御を行うことを特徴とするオフライン編集セレクトシステムの選択制御方法。
【請求項６】
前記スイッチャは、マトリクス  スイッチャであり、
前記セレクタパネルは、
前記マトリクス  スイッチャのクロスポイントの何れか１列に対応する接続先を切替ることを特徴とする請求項５記載のオフライン編集セレクトシステムの選択制御方法。
【請求項７】
前記指定手段は、
前記接続先を入力する入力部と、前記入力された各前記系統の接続先を表示する表示部とを備え、
前記制御部は、前記第１、第２のスイッチャから前記指定された接続先の応答として送信されたタリー信号を前記表示部に、前記表示する信号として出力する
ことを特徴とする請求項５、または６記載のオフライン編集セレクトシステムの選択制御方法。
【請求項８】
前記表示部が表示する前記接続先は、前記各系統に対応した発光色で表示されることを特徴とする請求項７記載のオフライン編集セレクトシステムの選択制御方法。
【請求項９】
現用系統の放送送出設備のスイッチャとの間で制御信号を伝送する第１のネットワークと、予備系統の放送送出設備のスイッチャとの間で制御信号を伝送する第２のネットワークとに接続され、
放送局の現用、予備系統のそれぞれ独立した放送送出設備に収容される素材送出装置とビデオサーバとの間で編集用の番組信号が伝送されるように予めオンエア使用中でないと選定された前記素材送出装置とビデオサーバとの間の接続を設定するオフライン編集セレクトシステムのセレクタパネルにおいて、
前記第１と前記第２のネットワークとにそれぞれの前記制御信号を入出力するネットワークインタフェースと、
前記現用系統における前記素材送出装置と前記ビデオサーバとの間の接続先を指定して入力する指定手段と、
前記入力された接続先を判読し、前記現用系統のスイッチャへ前記指定された接続先を接続させる第１の制御信号を生成すると共に、前記予備系統のスイッチャへ前記現用系統における前記接続先に対応する前記予備系統での接続先を接続させる第２の制御信号を生成し、前記生成された制御信号をそれぞれ前記ネットワークインタフェースと前記第１、第２のネットワークを介して前記両スイッチャへ出力する制御手段とを
具備することを特徴とするセレクタパネル。
【請求項１０】
前記指定手段は、
前記接続先を入力する入力部と、前記入力された各前記系統の接続先を表示する表示部とを備え、
前記制御部は、前記第１、第２のスイッチャから前記指定された接続先の応答として送信されたタリー信号を前記表示部に、前記表示する信号として出力する
ことを特徴とする請求項９記載のセレクタパネル。
【請求項１１】
前記表示部が表示する前記接続先は、前記各系統に対応した発光色で表示されることを特徴とする請求項１０記載のセレクタパネル。
【発明の詳細な説明】
【技術分野】
【０００１】
本発明は、放送局における放送番組コンテンツを編集するのに用いるオフライン編集セレクトシステム、選択制御方法および、セレクタパネルに関する。
【背景技術】
【０００２】
放送局のスタジオ装置は、現用系統と、予備系統の放送送出設備によって、各系統の放送送出設備に収容される複数のＶＴＲ等の素材送出装置から送出される素材信号や、編集された番組信号を蓄積する複数のビデオサーバから出力される番組信号が各系統のスイッチャからオンエア用の番組信号として、ＭＵＸ（多重装置）や送信器等の送信設備へ向けて出力される。
【０００３】
これらの、複数の番組信号送出源からの映像信号をオペレータが正しく認識して送出管理するためにグラフィックインタフェースによりオペレータがスイッチャを制御する方法が有る（例えば、特許文献１。）。
【０００４】
図５は、従来のスタジオ内の放送送出設備の系統図である。  
図５において、放送送出設備は、２重化され、各系統（ここでは、系統Ｂの構成ブロックの記載を省略する。）は、スイッチャ１００ａ、１００ｂ、素材信号送出装置２００ａ（＃１〜＃ｎ）、２００ｂ（＃１〜＃ｎ）、ビデオサーバ３００ａ（＃１〜＃ｍ）、３００ｂ（＃１〜＃ｍ）、上記各構成を制御する信号を伝送するネットワーク４００ａ、４００ｂおよび切替手段であるタッチパネル７００ａ、７００ｂ、プリセレクタ５００ａ、５００ｂ、ＳＣＰ（Ｓｃｈｅｄｕｌｅ  Ｃｏｎｔｒｏｌ  Ｐｒｏｃｅｓｓｏｒ）６００ａ、６００ｂと、および編集管理手段８００とを備えている。
【０００５】
編集管理手段８００は、例えば、素材管理サーバの如く、各装置やサーバの使用状態を調べるための運用管理をする情報端末等であって、オペレータがコンテンツを編集するのに利用可能な素材信号送出装置やビデオサーバを選定するのに用いられる。
【０００６】
以下、両系統に共通な事項については、必要が無い限り記号の添字ａ、ｂの記述を省略して説明する。  
番組放送は、通常、ＳＣＰ６００が番組時刻表に従い、素材信号送出装置２００（＃１〜＃ｎ）やビデオサーバ３００（＃１〜＃ｍ）のうち、オンエア用の信号を出力する装置を選定する。そして、図示されない局内時計の時刻情報を参照してネットワーク４００を介してスイッチャ１００の接続先信号を制御する信号を出力することにより所定の番組信号を送信器へ向けてスイッチャ１００から出力する制御を行う。
【０００７】
タッチパネル７００は、ＳＣＰ６００の制御によらず、オンエアの信号を出力する装置を指定する制御信号をネットワーク４００を介してスイッチャ１００に出力したり、またＳＣＰ６００に予め、オンエア用の信号を出力する制御信号を入力する切替手段である。上記引用特許はこのタッチパネルに関する技術である。
【０００８】
プリセレクタ５００は、オフラインでスイッチャ１００を介して各装置が素材信号等を入出力するための切替信号をネットワーク４００を介してスイッチャ１００に出力する切替手段であって、タッチパネル７００が兼用する場合もある。
【０００９】
しかし、２重化された伝送系統は、本来独立して運用されているので、系統毎に独立して設けられるスイッチャを独立して設けられた上記の切替手段により送出先を切替制御する。実際には、オペレータがそれぞれの系統のタッチパネル、又はプリセレクタによって現用、予備それぞれの素材送出装置とスイッチャとを制御しなければならない。
【００１０】
一方、スイッチャに接続され放送送出設備に管理される素材送出装置や、ビデオサーバは、フルタイムで使用されていない。使用予定が無いこれらの装置を用いて、番組編集すると効率が良い。そこで、スイッチャがオフラインの素材信号の接続先を制御する切替手段であるプリセレクタによって使用予定が無い装置の間で信号を入出力する制御を行うことにより、オフラインでコンテンツの編集をする方法が考えられた。
【００１１】
しかし、この方法では、現用と予備の２つの系統それぞれに設けられたプリセレクタをオペレータが繰り返して操作しなければ成らず、不便である上２つの系統で揃った切替を行う必要があるにも拘わらず、両系統で異なった切替設定を行うなどの誤操作をする問題が有った。
【特許文献１】特開２００２−３１４８７９号公報  （第１０頁、第１図）
【発明の開示】
【発明が解決しようとする課題】
【００１２】
放送送出設備に収容される素材送出装置のうち使用予定が無い装置の間をスイッチャで信号を入出力する制御を行うことにより、オフラインでコンテンツの編集をする方法が考えられた。
【００１３】
しかし、現用と予備の２つの系統それぞれに設けられたスイッチャを制御する２つのプリセレクタをオペレータが繰り返して操作しなければ成らず、不便である上２つの系統で揃った切替を行う必要があるにも拘わらず、両系統で異なった切替設定を行うなどの誤操作をする問題が有った。
【００１４】
本発明は上記問題を解決するためになされたもので、スタジオ内の各装置をオフラインで利用して番組収録を行う場合に容易な切替操作と誤操作を防ぐオフライン編集セレクトシステム、選択制御方法および、セレクタパネルを提供することを目的とする。
【課題を解決するための手段】
【００１５】
上記目的を達成するために、本発明のオフライン編集セレクトシステムは、放送局の現用系統と予備系統とのそれぞれ独立した放送送出設備に収容され、予め前記各系統で選定されたオンエアに使用されない素材送出装置とビデオサーバとを用いて放送番組を編集する為のオフライン編集セレクトシステムにおいて、前記現用系統の放送送出設備のスイッチャとの間で制御信号を伝送する第１のネットワークと、前記予備系統の放送送出設備のスイッチャとの間で制御信号を伝送する第２のネットワークと、前記第１と前記第２のネットワークとにそれぞれの前記制御信号を入出力するネットワークインタフェースと、前記現用系統における前記素材送出装置と前記ビデオサーバとの間の接続先を指定して入力する指定手段と、前記入力された接続先を判読し、前記現用系統のスイッチャへ前記指定された接続先を接続させる第１の制御信号を生成すると共に、前記予備系統のスイッチャへ前記現用系統における前記接続先に対応する前記予備系統での接続先を接続させる第２の制御信号を生成し、前記生成された制御信号をそれぞれ前記ネットワークインタフェースと前記第１、第２のネットワークを介して前記両スイッチャへ出力する制御手段とを備えるセレクタパネルとを具備することを特徴とする。
【００１６】
また、本発明のオフライン編集セレクトシステムの選択制御方法は、放送局の現用系統の放送送出設備のスイッチャとの間で制御信号を伝送する第１のネットワークと、予備系統の放送送出設備のスイッチャとの間で制御信号を伝送する第２のネットワークと、指定手段と制御手段とを備え前記各ネットワークに接続されるセレクタパネルとを具備し、前記各系統に収容され、予め選定されたオンエア使用中でない素材送出装置とビデオサーバとを用いて放送番組を編集するオフライン編集セレクトシステムの選択制御方法において、前記セレクタパネルの前記指定手段に、前記現用系の前記素材送出装置と前記ビデオサーバとの間の接続先が指定して入力され、前記入力された接続先を前記制御手段が判読し、前記制御手段は、前記現用系統のスイッチャへ前記指定された接続先を接続させる第１の制御信号を生成すると共に、前記予備系統のスイッチャへ前記現用系統における前記接続先に対応する前記予備系統での接続先を接続させる第２の制御信号を生成し、前記生成された制御信号をそれぞれ前記第１、第２のネットワークを介して前記スイッチャへ出力する制御を行うことを特徴とする。
【００１７】
更に本発明のセレクタパネルは、現用系統の放送送出設備のスイッチャとの間で制御信号を伝送する第１のネットワークと、予備系統の放送送出設備のスイッチャとの間で制御信号を伝送する第２のネットワークとに接続され、放送局の現用、予備系統のそれぞれ独立した放送送出設備に収容される素材送出装置とビデオサーバとの間で編集用の番組信号が伝送されるように予めオンエア使用中でないと選定された前記素材送出装置とビデオサーバとの間の接続を設定するオフライン編集セレクトシステムのセレクタパネルにおいて、前記第１と前記第２のネットワークとにそれぞれの前記制御信号を入出力するネットワークインタフェースと、前記現用系統における前記素材送出装置と前記ビデオサーバとの間の接続先を指定して入力する指定手段と、前記入力された接続先を判読し、前記現用系統のスイッチャへ前記指定された接続先を接続させる第１の制御信号を生成すると共に、前記予備系統のスイッチャへ前記現用系統における前記接続先に対応する前記予備系統での接続先を接続させる第２の制御信号を生成し、前記生成された制御信号をそれぞれ前記ネットワークインタフェースと前記第１、第２のネットワークを介して前記両スイッチャへ出力する制御手段とを具備することを特徴とする。
【発明の効果】
【００１８】
本発明によれば、スタジオ内の各装置をオフラインで利用して番組収録を行う場合に容易な切替操作と誤認を防ぐオフライン編集セレクトシステム、選択制御方法および、セレクタパネルを提供することができる。
【発明を実施するための最良の形態】
【００１９】
以下、図面を参照して本発明の実施例を説明する。
【実施例】
【００２０】
図１は、本発明の実施例におけるオフライン編集セレクトシステムの系統図である。  
図１においてオフライン編集セレクトシステムは、放送局スタジオの放送送出設備に付帯して設けられ、番組信号を送出する２重化系統の一方の系統Ａ（以下、系統に属する装置を添字ａで示す。）、他方の系統Ｂ（図１では、内部記載を省略する。以下、文中では系統に属する装置を添字ｂで示す。）でそれぞれスイッチャ１ａ、１ｂ、素材信号送出装置２ａ（＃１〜＃ｎ）、２ｂ（＃１〜＃ｎ）、ビデオサーバ３ａ（＃１〜＃ｍ）、３ｂ（＃１〜＃ｍ）、上記各構成を制御する信号を伝送するネットワーク４ａ、４ｂおよび両系統に共通なセレクタパネル５とを備えている。
【００２１】
放送送出設備に属する装置として、このほか、ＳＣＰ（Ｓｃｈｅｄｕｌｅ  Ｃｏｎｔｒｏｌ  Ｐｒｏｃｅｓｓｏｒ）６ａ、６ｂ、スイッチャ１ａ、１ｂを制御したり、各種の装置へのコマンドを入力するタッチパネル７ａ、７ｂ、編集管理手段８等が備えられる。
【００２２】
編集管理手段８は、例えば、素材管理サーバの如く、各装置やサーバの使用状態を調べるための運用管理をする情報端末等であって、オペレータがコンテンツを編集するのに利用可能な素材信号送出装置やビデオサーバを選定するのに用いられる。
【００２３】
以下、両系統に共通な事項については、必要が無い限り記号の添字ａ、ｂの記述を省略して説明する。  
放送局のスタジオで編集される素材信号は、カメラ、ＶＴＲの様な素材信号送出装置２（＃１〜＃ｎ）の出力ラインが、複数の装置間での接続先（信号入出力）を切替るマトリクス  スイッチャ１（以下、単にスイッチャと呼ぶ。）の所定のクロスポイント端子に接続される。また、編集を行うビデオサーバ３（＃１〜＃ｍ）の入力ラインおよび出力ラインがスイッチャ１の所定のクロスポイント端子に接続される。
【００２４】
放送送出設備は、予め設定された番組時刻表の情報に基づき、ＳＣＰ６がネットワーク４を介して出力するスイッチャ１のクロスポイントを制御する信号か、タッチパネル７から出力されるネットワーク４を介してのクロスポイントを制御する信号によって、オンエアされる番組信号が所定の素材信号送出装置２（例えば、＃１とする。）又は、ビデオサーバ３（例えば、＃１とする。）から出力される映像信号がスイッチャ１からＭＵＸ（多重装置）や送信器等の送信設備へ向けて選択出力される。
【００２５】
ネットワーク４を介して伝送される各系統でのスイッチ１の制御信号は、マトリクス  スイッチャのクロスポイントを指定する情報（例えば、ｆ列とｋ行のような形式で指定する。）と、スイッチャ１が実際にクロスしたポイントを送り返すタリー情報を含むものである。
【００２６】
一方、スイッチャ１に接続されている残りの素材信号送出装置２（＃２〜＃ｎ）ビデオサーバ３（＃２〜＃ｍ）は、オンエア用には使用されていない。オペレータは、前述の編集管理手段８を用いて機器の使用状況や使用予定を調べ、これらの空き機材を探し出すことによって番組編集に使用することが可能である。
【００２７】
今、仮に素材信号送出装置２（＃２）とビデオサーバ３（＃３）とが当分オンエアに使用される予定が無い事が分かり、記憶装置に番組信号を編集して記憶する処理する場合について説明する。
【００２８】
ここで、いったん図５に戻る。従来の編集作業では、図５における如く２系統の何れか一方の系統、例えば、Ａ系統で素材信号送出装置２００ａ（＃２）からビデオサーバ３００ａ（＃３）へ素材信号を出力して、ビデオサーバ３００ａ（＃３）が入力された素材信号を収録、編集し、その後Ｂ系統でも素材信号送出装置２００ｂ（＃２）からビデオサーバ３００ｂ（＃３）へコピー収録する作業を行っていた。
【００２９】
Ａ、Ｂの各系統では、ビデオサーバ３００（＃３）に入力される信号を選択制御するために、プリセレクタ５００ａ、５００ｂと呼ばれる制御盤が各スイッチャ１００ａ、１００ｂのビデオサーバ３００ａ（＃３）、３００ｂ（＃３）の入力系統のクロスポイントの１列を制御するように挿入される。
【００３０】
プリセレクタ５００は、例えば、素材信号送出装置２００（例えば、＃１〜＃８）の８つの入力先を指定する押しボタンスイッチにより入力切替先を指定する。押しボタンスイッチには、その接続を確認するためのタリー表示ランプが組み込まれている。
【００３１】
しかし、オペレータがＡ系統のプリセレクタ５００ａで「＃２」を押しても、繰り返し操作を行うＢ系統のプリセレクタ５００ｂでは「＃３」を誤って押してしまう誤操作が従来には発生した。
【００３２】
さて、再度、図１へ戻る。
【００３３】
本発明の実施例では、従来の２つのプリセレクタ５００に代わり、セレクタパネル５が使用される。１つのセレクタパネル５がＡ、Ｂの両系統共通に使用され、１回切替先指定を行うだけで両系統のスイッチャ１ａ、１ｂを同時に制御する。セレクタパネル５は、系統Ａ、Ｂの各ネットワーク４ａ、４ｂへ接続され、それぞれのスイッチャ１ａ、１ｂへ切替信号を送信している。
【００３４】
図２は、セレクタパネルの基本機能ブロック図である。以下、図２よりセレクタパネルの構成、動作と図１を参照しながらオフライン編集セレクタシステムの動作手順を説明する。  
図２において、セレクタパネル５は、互いに内部バス等で接続される制御部５１、ネットワークＩ／Ｆ（インタフェース）５２、入出力部５３と設定部５４とを有している。ネットワークＩ／Ｆ５２は、系統Ａ、系統Ｂの各ネットワーク４ａ、４ｂそれぞれに対応するインタフェースを行うＩ／Ｏ部５２ａ、５２ｂとからなり、ネットワーク４ａ、４ｂと入出力するデータを内部バスを介して制御部５１との間で入出力する。
【００３５】
ネットワーク４ａ、４ｂとの間では、それぞれに対応するＩ／Ｏ部５２ａ、５２ｂを介してセレクタパネル５からスイッチャ１へ切替信号が送信され、送信された切替信号に対応して動作したスイッチャ１からクロスポイント（接続先）のタリー情報を受信する。
【００３６】
入出力部５３は、ボタンスイッチ等により、切替制御先を入力する入力部５３１と、例えばランプ、ＬＥＤ等による表示部５３２を備えている。表示部５３２には、例えば、英数字の略字を表示する補助表示ＡＸが設けられていても良い。そして入力部５３１と表示部５３２には、内部バス等との間のインタフェース手段が設けられるが、図面が頻雑になるので記載を省略する。
【００３７】
この入力部５３で指定された接続先の情報（クロスポイントのデータ）は、制御部５１で系統Ａ、Ｂで対応する装置が同時に切替られる切替信号に変換される。そして、スイッチャ１ａ、１ｂに向け、Ｉ／Ｏ部５２ａ、５２ｂを介してネットワーク４ａ、４ｂに送信される。
【００３８】
また、スイッチャ１ａ、１ｂからＩ／Ｏ部５２ａ、５２ｂを介して受信するタリー信号は、制御部５１で解読され、接続先に対応する表示部５３２のランプが点灯される。
【００３９】
これまで説明した如く、セレクタパネル５は、スイッチャのクロスポイントの１列に対応する特定の機材、装置の入力又は出力先を選択する動作を行う。設定部５４は、このクロスポイントの１列に対応する様に、セレクタパネル５が切替制御を行う装置の識別情報、およびその装置の信号の入力先か、出力先か等の切替条件等を初期設定（プリセット入力）する入力手段である。
【００４０】
例えば、ビデオサーバ３（＃２）を編集作業に用いる場合、セレクタパネル５は、設定部５４によってスイッチャ１のビデオサーバ３（＃２）の入力ラインを選択する列に相当するように動作条件が設定される。設定方法は、例えば、制御部５１のワークメモリに動作条件のパラメータを外部から書き込むプログラム書込手段でも良いし、ＤＩＰスイッチの様な設定スイッチで条件を入力するなど何れの方法でも良い。
【００４１】
なお、ここでは、セレクタパネル５は、ビデオサーバ３の入力先の素材送出装置２（＃１〜＃ｎ）を選択するように使用されるが、素材送出装置２の出力先のビデオサーバ３（＃１〜＃ｍ）を選ぶ様に使用されても良いし、さらにビデオサーバ３が編集した番組信号を更にもう一度素材信号として保存するようにビデオサーバ３の出力が入力される素材送出装置２（＃１〜＃ｎ）を選択する様に使用されても良い。セレクタパネルに適用される上記の使用条件は、設定部５４によって初期設定される。
【００４２】
オペレータは、編集管理手段８で調べたＶＴＲである素材送出装置２（＃１）とビデオサーバ３（＃２）とが共に使用されない数時間の間にＶＴＲに記録された取材記録を編集してビデオサーバ３（＃２）に収録する作業を行うとする。
【００４３】
オペレータは、例えば、セレクタパネル５の保守端末として機能するパーソナルコンピュータを設定手段５４としてセレクタパネル５のネットワークインタフェース５２ａに接続し、所定のデータ転送コマンドと、ビデオサーバ３ａ（＃２）、３ｂ（＃２）の入力先を選択する様に動作条件を設定する。この処理により、スイッチャ１ａ、１ｂに制御される各ビデオサーバ３ａ（＃２）、３ｂ（＃２）の接続先は、セレクタパネル５から接続先を指定する入力によっても切替えることが出来るようになる。
【００４４】
図３は、本発明の実施例のセレクタパネルの操作面の一例、図４は、図３のセレクタパネルのボタンスイッチの内部機能ブロック図である。  
図３においてセレクタパネル５の操作面は、入出力部５３の主要部をなすボタンスイッチｂｓ（＃１〜＃１０）と、補助表示ＡＸとを備えている。
【００４５】
ボタンスイッチｂｓは、予めそれぞれが、接続先の装置、機器に対応する様に設定部５４によって割り付けられる。例えば、このセレクタパネル５がビデオサーバ３ａ（＃２）、３ｂ（＃２）の出力先を指定する様に割付けられるとする。言い換えれば、ビデオサーバ３ａ（＃２）、３ｂ（＃２）の出力先が接続されるクロスポイントの列に対応するようにセレクタパネルが設定される。そして、この場合、各ボタンスイッチｂｓ（＃１〜＃１０）が接続先の素材送出装置２（＃１〜＃１０）に割り付けられる。
【００４６】
各ボタンスイッチｂｓの内部は図４に説明され、スイッチｓと系統Ａ、系統Ｂのそれぞれのタリー表示用のランプＬ１、Ｌ２とを備えている。そして例えば、ランプＬ１は系統Ａ用として緑、ランプＬ２は、系統Ｂ用として赤の様に色分けされているとより確認が確実になる。
【００４７】
スイッチｓを押すことによりそのボタンに対応する（例えば、＃１）接続先の素材送出装置２（＃１）の接続・切断を指示する信号が生成される。仮にスイッチｓが、アルタネイトタイプで有る場合、スイッチｓを押すとその接点信号が図示されないインタフェース手段と内部バス等とを介して制御部５１へ伝えられる。
【００４８】
制御部５１は、この接続先情報から、スイッチャ１ａ、１ｂへネットワーク４ａ、４ｂを介して接続コマンドを送信する。先の設定部５４によって行われた初期設定により現用系統のビデオサーバ３ａ（＃２）の出力先は、素材送出装置２ａ（＃１）の入力端子に接続され、同様に、予備系統のビデオサーバ３ｂ（＃２）の出力先は、素材送出装置２ｂ（＃１）入力端子に接続される。
【００４９】
スイッチャ１ａ、１ｂからは、ネットワーク４を介してタリー信号が接続コマンドの送信元へ返送される。そして制御部５１は、系統Ａ、系統Ｂの両方の素材送出装置２ａ（＃１）、２ｂ（＃１）が接続されたことを示す点灯信号を内部バス等へ図示されないインタフェースを介して、ボタンスイッチｂｓ（＃１）へ向けて出力する。そして、スイッチャセレクタパネル５のボタンスイッチｂｓ（＃１）のランプＬ１、Ｌ２が点灯する。
【００５０】
なお、スイッチャ１ａ、１ｂの何れかで誤って他の素材送出装置２ｂ（例えば、＃５）が接続された場合、２カ所のランプが点灯し、本来の接続先と異なる場所の点灯が行われるので、誤接続が直感的に判読出来る効果がある。
【００５１】
また、押されたボタンスイッチｂｓ（例えば、＃１）の識別データを制御部５１が補助表示ＡＸを「＃１」と表示するように制御すれば、オペレータの操作自体の確認にもなる。この補助表示ＡＸの別の方法として、制御部５１は、２つの系統からのタリーのうち後から返送された方を最終応答として出力中の信号として表示するようにして操作確認するようにしても良い。
【００５２】
また、セレクタパネル５は、上記説明では、専用ハードウェアによる構成であるが、代わりにパーソナルコンピュータの様な汎用情報端末を用いて機能させるものであっても良い。その場合、入力部５３１、表示部５３２は、キーボード入力、又は、上記の操作パネルを模す様な図式化されたパネル画面へのマウス入力等で行えば良い。制御部５１は、ＣＰＵと制御プログラム、ＩＯ部５２には、２系統のＬＡＮインタフェース回路などが用いられる。
【００５３】
以上説明した如く、本発明の実施例によれば、現用と予備系の番組自動送出設備に接続される素材送出装置やビデオサーバを用い、オペレータがオンエアに使用されない装置を利用してオフライン編集に使用する装置の切替、接続先を設定した制御確認が容易に行え、かつ誤操作を防ぐオフライン編集セレクトシステムオフライン編集セレクトシステム、選択制御方法および、セレクタパネルを提供することが出来る。
【図面の簡単な説明】
【００５４】
【図１】本発明の実施例に係わるオフライン編集セレクトシステムの系統図。
【図２】セレクタパネルの基本機能ブロック図。
【図３】セレクタパネルの操作パネルの一例
【図４】入出力部の内部機能ブロック図。
【図５】従来のスタジオ内の放送送出設備番組送出設備の系統図。
【符号の説明】
【００５５】
１ａ、１ｂ  スイッチャ
２ａ、２ｂ  素材信号送出装置
３ａ、３ｂ  ビデオサーバ
４ａ、４ｂ  ネットワーク
５  セレクタパネル
５１  制御部
５２  ネットワークＩ／Ｆ部
５２ａ、５２ｂ  Ｉ／Ｏ部
５３  入出力部
５３１  入力部
５３２  表示部
５４  設定部
６ａ、６ｂ  ＳＣＰ
７ａ、７ｂ  タッチパネル
８  編集管理手段
【図１】
2008048344.tif 000003
【図２】
2008048344.tif 000004
【図３】
2008048344.tif 000005
【図４】
2008048344.tif 000006
【図５】
2008048344.tif 000007